(57)【要約】【課題】  装飾本体には、極性を考慮することなく磁石を固定できるとともに、固定用磁石にも極性を表示する必要がない磁石付き装飾体を提供することである。【解決手段】  装飾本体１に固定した永久磁石からなる板状の本体側磁石２と、上記本体側磁石２と接着する永久磁石からなる板状の固定用磁石３とを備えているぬいぐるみ等の装飾体を前提としている。そして、上記固定用磁石３には、その一方の面と他方の面とを識別可能にする識別手段が設けられている。【選択図】  図１
0003206226.tif 000002
【実用新案登録請求の範囲】
【請求項１】
装飾本体に固定した永久磁石からなる板状の本体側磁石と、
上記本体側磁石と接着する永久磁石からなる板状の固定用磁石とを備え、
上記固定用磁石には、その一方の面と他方の面とを識別可能にする識別手段が設けられた磁石付き装飾体。
【請求項２】
上記装飾本体または上記固定用磁石のいずれか一方、あるいは両方に、紐や鎖などを取り付けた落下防止用の取付部材が設けられた請求項１に記載の磁石付き装飾体。
【考案の詳細な説明】
【技術分野】
【０００１】
この考案は、洋服やカバン等に着脱可能にした装飾本体を備えた磁石付き装飾体に関する。
【背景技術】
【０００２】
近年、ぬいぐるみ等の装飾体を、洋服やカバン等に着けて持ち歩くことが、ひとつのファッションとして注目されている。
ただし、この種のファッションとしての装飾体は小ぶりなものが多く、その装飾体にストラップ等を取り付けて、それを洋服の特定の箇所に固定したり、カバンに固定したりして、楽しむものがほとんどである。
【０００３】
しかし、最近は、ファッションに対しても奇抜性が求められる傾向がある。
このように奇抜性が求められる中で、装飾体が大型化するとともに、それを取り付ける箇所の自由度が求められる。例えば、ぬいぐるみを人の肩に載せて、あたかも肩にぬいぐるみが腰かけているようにして、街を歩き回るなどである。
このとき、ぬいぐるみはごく自然な状況で肩に腰かけているようにすることが理想である。しかし、その自然さを求めると、ぬいぐるみが肩から落ちやすくなってしまう。
【０００４】
このような問題を解決するものとして、装飾体を板状の永久磁石で固定することが容易に考えられる（特許文献１の図５を参照）。
この場合には、装飾体の本体に板状の永久磁石を固定するとともに、洋服の裏などに固定用の磁性体を差し入れて、上記永久磁石と上記磁性体とで洋服を挟持することになる。ただし、比較的大きな装飾体を、人の肩など、不安定な箇所に取り付けようとすれば、固定用の磁性体も板状の永久磁石にして挟持力を強くする必要がある。
そして、装飾本体に固定した本体側磁石と、洋服の裏などに差し入れる固定用磁石との磁力を大きくすればするほど、装飾体を安定的に取り付けることができる。
【先行技術文献】
【特許文献】
【０００５】
【特許文献１】特開２０１０−１３１１５９号公報
【特許文献２】特開平１０−１７９９４２号公報
【考案の概要】
【考案が解決しようとする課題】
【０００６】
上記のように挟持力を強くするために、本体側磁石と固定用磁石とを用いれば、使用者が極性を区別できるようにするために、何らかの表示が必要になる。
もし、このときに、両磁石の極性を具体的に表示しようとすれば、本体側磁石の極性を、上記装飾本体のいずれかの箇所に表示し、固定用磁石にも極性を表示しなければならなくなる。
【０００７】
このような表示の仕方をすると、装飾本体に磁石を固定するとき、その極性の方向を特定しておかなければならない。例えば、本体側磁石のＳ極を、固定用磁石を接着する面に向けるというように、固定方向を特定しなければならない。これと同時に、固定用磁石にも極性を表示しなければならない。
また、固定用磁石のデザイン性を高めるために、固定用磁石もプラスチック樹脂などのカバーで覆うときも同様である。例えば、固定用磁石を覆ったカバーに、固定用磁石の極性を表示しなければならないが、このときにも固定用磁石の極性とカバーに表示した極性との対応関係を一致させなければならない。
【０００８】
このように固定方向を特定しようとすれば、装飾本体や固定用磁石の生産プロセスで、磁石の極性をいちいち確認しなければならない。
生産プロセスでこのような確認作業を必要とするということは、その生産効率を著しく損なうとともに、もし、それらの極性を間違えて表示すれば、欠陥品扱いになりかねないという問題が発生する。
【０００９】
この考案の目的は、装飾本体には、極性を考慮することなく磁石を固定できるとともに、固定用磁石にも極性を表示する必要がない磁石付き装飾体を提供することである。
【課題を解決するための手段】
【００１０】
第１の考案は、装飾本体に固定した本体側磁石と、この本体側磁石と接着する固定用磁石とのそれぞれを永久磁石にするとともに、上記固定用磁石には、その一方の面と他方の面とを識別可能にする識別手段を設けた点に特徴を有する。
上記識別手段は、固定用磁石の一方の面と、他方の面とを色分けし、それら各面を識別できるようにすることが考えられる。また、この識別手段は、このような色分けだけでなく、上記一方の面のみにマークを付したり、あるいは文字や図形を表したりしてもよいし、上記固定用磁石の両面に別々なマーク、あるいは別々の文字、図形を表してもよい。
そして、上記色分け、マーク、文字、図形のすべてが、この考案の識別手段を構成する。
【００１１】
なお、上記装飾本体としては、ぬいぐるみなどが典型的であるが、必ずしもぬいぐるみに限定されない。人の肩やカバンなどに取り付けて、奇抜なファッションを楽しめるものであれば、プラスチック製の怪獣や乗り物などであってもよい。要するに、装飾本体のジャンルや形態は限定されない。
また、上記装飾本体に固定される本体側磁石は、当該装飾本体に埋め込まれてもよいし、むき出しの状態で装飾本体に接着されてもよい。
【００１２】
第２の考案は、上記装飾本体または上記固定用磁石、あるいは両方に、紐や鎖などを取り付けた落下防止用の取付部材が設けられたことを特徴とする。
【考案の効果】
【００１３】
第１の考案の磁石付き装飾体によれば、固定用磁石は、その一方の面と他方の面とを識別する識別手段を備えているので、使用者は、その使用過程で、固定用磁石のいずれか一方の面が、本体側磁石に接着する面であることを判別できる。このように接着する面を一度でも判別できれば、以後は、識別手段を見ながら、本体側磁石と固定用磁石との極性を間違えることなくそれら両者を対応させることができる。
【００１４】
また、この装飾体を出荷する段階や使用者が装飾体を持ち運んだり、しまい込んだりするときなどは、固定用磁石を本体側磁石に接着したままにすることが考えられる。なぜなら、それらを別々にしておくと、特に、固定用磁石を紛失しやすくなるからである。
このように固定用磁石は、本体側磁石に着けたままにしておくことが多くなるので、上記識別手段があれば、それら両磁石の極性の対応関係が自然に頭に残り、両者の対応関係を間違えたりしない。
【００１５】
このように本体側磁石の接着面を特定したり、固定用磁石の極性を表示したりしなくても、使用者が両磁石の極性の対応関係を認識できるので、装飾体の生産プロセスで、磁石の極性をいちいち確認する作業が不要になる。
したがって、本体側磁石の極性をチェックする装置や人手が不要になり、コストダウンはもちろん生産効率も飛躍的に向上する。
【００１６】
また、固定用磁石の装飾性を上げるために、それをカバーで覆うときにも、固定用磁石の一方の面と他方の面とのデザインを相違させて、それを識別手段にすることができる。このように一方の面と他方の面とのデザインを相違させるだけで識別手段を構成できるので、装飾本体と同様に固定用磁石の生産性もあげることができる。
そして、装飾本体と固定用磁石との両方の生産性を上げることができるので、生産効率を向上させる上で、相乗効果を期待できる。
【００１７】
また、上記のように固定用磁石の一方の面と他方の面とのデザインを相違させるだけで識別手段を構成できるので、そのデザインの自由度も大きくなる。
ただし、装飾本体を体に着けるときには、この固定用磁石は、例えば洋服の裏側に隠れてしまうが、商品を展示したり、カタログ表示したりするときには、固定用磁石も商品の一部としてデザイン性が考慮される。
したがって、固定用磁石を覆うカバーのデザインの自由度は、商品価値を上げるために大きな効果をもたらす。
【００１８】
第２の考案によれば、装飾本体または固定用磁石、あるいは両方に落下防止用の取付部材を設けたので、人の動作中に固定用磁石から装飾本体が外れても、地面に落下することがない。また、大事な装飾本体や、目立たない固定用磁石を紛失することがなくなった。
【図面の簡単な説明】
【００１９】
【図１】この考案の実施形態における装飾本体内の本体側磁石と固定用磁石との関係を示した側面図である。
【図２】この考案の実施形態において洋服に取り付けた状態を示した正面図である。
【図３】この考案の実施形態においてカバンに取り付けた状態を示した斜視図である。
【考案を実施するための形態】
【００２０】
図１〜図３を用いて、この考案の実施形態を説明する。
図１はこの実施形態における装飾本体１内の本体側磁石２と、この本体側磁石２に接着する固定用磁石３との関係を示し、図２及び３は装飾本体１の使用状態を示した図である。なお、これらの図は本考案を説明するためのものであり、本考案をなんら限定するものではない。
【００２１】
図１に示すように、装飾本体１は人形のぬいぐるみであって、それを肩に載せることによって、あたかも、装飾本体１である人形が、人の肩にちょこんと座っている姿勢が保てるようにしている。
そして、上記装飾本体１を人の肩に載せたとき、装飾本体１が肩に触れる部分には、板状の永久磁石からなる本体側磁石２が埋め込まれ、その位置で固定されるとともに、その磁力が外部に作用するようにしている。
【００２２】
他方、装飾本体１に接着する固定用磁石３は、板状の永久磁石からなり、それを化粧用のカバー４で覆っている。このカバー４は、プラスチック樹脂からなり、一端に貫通孔５が設けられている。
なお、この実施形態ではカバー４にプラスチック樹脂を用いているが、特にその材質は限定されない。例えば、布やフェルトで固定用磁石３を包んでも良いし、セラミックに固定用磁石３を埋め込んでも良い。
【００２３】
また、上記カバー４の一方の面には、他方の面と識別する識別手段が設けられている。この実施形態では、カバー４の一方の面と、他方の面とを色分けし、それら各面を識別できるようにしている。したがって、上記一方の面と他方の面とを色分けした形態が、この考案の識別手段になる。
このことからも明らかなように、カバー４の両面を何らかの方法で識別できる形態であれば、この考案の識別手段を構成することになる。
【００２４】
したがって、例えば、カバー４の一方の面のみにマークを付したり、あるいは文字や図形を表したりしてもよいし、カバー４の両面に別々なマーク、あるいは文字、図形を表してもよい。
ただし、これら識別手段を設けた側が、本体側磁石２と接着する面になる場合もあるので、上記識別手段は、立体ではなく平面的なのが望ましい。
【００２５】
また、上記装飾本体１と、上記固定用磁石３のカバー４とのそれぞれには、紐６，７を設け、この紐６，７の先端に、例えば安全ピンなどからなる落下防止用の取付部材が設けられている。ただし、この取付部材は図示していない。
このようにした取付部材は、それを直接洋服ＹやカバンＫなどの目的物に固定し、装飾本体１や固定用磁石３が、それら洋服ＹやカバンＫなどから落ちて、紛失しないようにするためのものである。
【００２６】
特に、固定用磁石３は、後で説明するように、目的物の裏などの見えにくいところにセットされるので、それがなくなっても気づかないおそれがある。
しかし、固定用磁石３を上記取付部材で目的物に取り付けられるので、それが目的物から落ちたり、紛失したりしない。
【００２７】
なお、この実施形態では、落下防止のために取付部材として安全ピンを用いているが、洋服ＹやカバンＫ等に固定することができれば、どのようなものを用いてもよい。例えば、クリップや、ピンバッチなどを用いることができる。また、上記紐６，７は、鎖やテープなど、所定の長さを保ち、取付部材と連続できれば、どのようなものでもかまわない。
【００２８】
次に、この実施形態の使用方法と使用状態について説明をする。
図２は、人形のぬいぐるみからなる装飾本体１を、洋服Ｙの上から人の肩に載せた状態を示している。
そして、上記装飾本体１を洋服Ｙに定着させるには、肩部分の洋服Ｙの裏側に、固定用磁石３をセットし、その固定用磁石３に、装飾本体１の磁石を接着するようにする。
【００２９】
このようにすれば、本体側磁石２と固定用磁石３とが接着するが、もし、それらの磁石２，３の接着面が同極になっていて、互いに反発するようなときには、ユーザーは上記識別手段を確認しながら、固定用磁石３の極性を判別できる。
一度判別できれば、以後、ユーザーは、識別手段を基準にして、固定用磁石３の接着面を選択できる。
このようにして、両磁石２，３の磁力が互いに作用しあって、しっかりと接着されるので、大きな挟持力が発揮される。したがって、装飾本体１が上記肩などから落ちたりしない。
【００３０】
また、装飾本体１と固定用磁石３とに付けられたそれぞれの図示しない安全ピンを洋服Ｙに取り付ける。
なお、上記した使用状態はユーザーの肩に装飾本体１を載せているが、ユーザーの発想力によって、いずれの箇所でも自由に取り付けられることは当然である。例えば、帽子のつばに装飾本体１を載せることができる。
【００３１】
図３は、カバンＫに装飾本体１を載せて使用する状態を示している。
洋服Ｙに固定する場合と同じように、ユーザーは、装飾本体１の本体側磁石２と固定用磁石３とが接着された状態を確認して、固定用磁石３のどちらの面が接着可能な面であるかを判別する。
【００３２】
接着可能な面を判別したユーザーは、まず、装飾本体１を設置しようとするカバンＫの位置で、カバンＫの裏側から、固定用磁石３の接着可能な面をカバンＫの裏側にあてがうとともに、装飾本体１をこの位置に対応させてカバンＫの表面に近づける。そして、上記装飾本体１は、その本体側磁石２と上記固定用磁石３の磁力による挟持力によって、カバンＫの特定の位置に載せられるとともに、カバンＫに固定される。
また、装飾本体１と固定用磁石３とに付けられたそれぞれの図示しない安全ピンが、カバンＫに取り付けられ、落下を予防する。
【００３３】
このように、上記固定用磁石３は、その一方の面と他方の面とを識別する識別手段を備えているので、使用者は、その使用過程で、固定用磁石３のいずれか一方の面が、本体側磁石２に接着する面であることを判別できる。このように接着する面を一度でも判別できれば、以後は、識別手段を見ながら、本体側磁石２と固定用磁石３との極性を間違えることなくそれら両者を対応させることができる。
【００３４】
また、この装飾体を出荷する段階や使用者が装飾体を持ち運んだり、しまい込んだりするときなどは、固定用磁石３を本体側磁石２に接着したままにすることが考えられる。なぜなら、それらを別々にしておくと、特に、固定用磁石３を紛失しやすくなるからである。
このように、固定用磁石３は、本体側磁石２に着けたままにしておくことが多くなるので、上記識別手段があれば、それら両磁石２，３の極性の対応関係が自然に頭に残り、両者の対応関係を間違えたりしない。
【００３５】
このように本体側磁石２の固接着定面を特定したり、固定用磁石３の極性を表示したりしなくても、使用者が両磁石２，３の極性の対応関係を認識できるので、装飾体の生産プロセスで、両磁石２，３の極性をいちいち確認する作業が不要になる。
したがって、本体側磁石２の極性をチェックする装置や人手が不要になり、コストダウンはもちろん生産効率も飛躍的に向上する。
【００３６】
また、固定用磁石３の装飾性を上げるために、それをカバー４で覆うときにも、固定用磁石３の一方の面と他方の面とのデザインを相違させて、それを識別手段にすることができる。このように一方の面と他方の面とのデザインを相違させるだけで識別手段を構成できるので、装飾本体１と同様に固定用磁石３の生産性もあげることができる。
そして、装飾本体１と固定用磁石３との両方の生産性を上げることができるので、生産効率を向上させる上で、相乗効果を期待できる。
【００３７】
また、上記のように固定用磁石３の一方の面と他方の面とのデザインを相違させるだけで識別手段を構成できるので、そのデザインの自由度も大きくなる。
ただし、装飾本体１を体に着けるときには、この固定用磁石３は、例えば洋服Ｙの裏側に隠れてしまうが、商品を展示したり、カタログ表示したりするときには、固定用磁石３も商品の一部としてデザイン性が考慮される。
したがって、固定用磁石３を覆うカバー４のデザインの自由度は、商品価値を上げるために大きな効果をもたらす。
【００３８】
上記実施形態では、本体側磁石２を装飾本体１に埋め込んだが、当該本体側磁石２をむき出しにして、装飾本体１に固定してもよい。
また、固定用磁石３も、必ずしも、カバーで覆う必要はなく、それをむき出しのまま使うようにしてもよい。このように固定用磁石３をむき出しのまま使う場合でも、この考案の識別手段が必要なのは当然である。
【産業上の利用可能性】
【００３９】
洋服やカバン等から着脱可能にした磁石付き装飾体を生産する場合や使用する場合に有用である。
【符号の説明】
【００４０】
１…装飾本体、  ２…本体側磁石、３…固定用磁石、４…カバー、５…貫通孔、６，７…紐、Ｙ…洋服、Ｋ…カバン
【図１】
0003206226.tif 000003
【図２】
0003206226.tif 000004
【図３】
0003206226.tif 000005
【手続補正書】
【提出日】平成28年7月7日(2016.7.7)
【手続補正１】
【補正対象書類名】実用新案登録請求の範囲
【補正対象項目名】全文
【補正方法】変更
【補正の内容】
【実用新案登録請求の範囲】
【請求項１】
ぬいぐるみ等の装飾本体に固定した永久磁石からなる板状の本体側磁石と、
上記本体側磁石と接着する永久磁石からなる板状の固定用磁石とを備え、
上記固定用磁石には、その一方の面と他方の面とを識別可能にする識別手段が設けられた磁石付き装飾体。
【請求項２】
上記装飾本体または上記固定用磁石のいずれか一方、あるいは両方に、紐や鎖などを取り付けた落下防止用の取付部材が設けられた請求項１に記載の磁石付き装飾体。
【手続補正２】
【補正対象書類名】明細書
【補正対象項目名】００１０
【補正方法】変更
【補正の内容】
【００１０】
第１の考案は、ぬいぐるみ等の装飾本体に固定した本体側磁石と、この本体側磁石と接着する固定用磁石とのそれぞれを永久磁石にするとともに、上記固定用磁石には、その一方の面と他方の面とを識別可能にする識別手段を設けた点に特徴を有する。
上記識別手段は、固定用磁石の一方の面と、他方の面とを色分けし、それら各面を識別できるようにすることが考えられる。また、この識別手段は、このような色分けだけでなく、上記一方の面のみにマークを付したり、あるいは文字や図形を表したりしてもよいし、上記固定用磁石の両面に別々なマーク、あるいは別々の文字、図形を表してもよい。
そして、上記色分け、マーク、文字、図形のすべてが、この考案の識別手段を構成する。
【手続補正３】
【補正対象書類名】明細書
【補正対象項目名】００３５
【補正方法】変更
【補正の内容】
【００３５】
このように本体側磁石２の接着する面を特定したり、固定用磁石３の極性を表示したりしなくても、使用者が両磁石２，３の極性の対応関係を認識できるので、装飾体の生産プロセスで、両磁石２，３の極性をいちいち確認する作業が不要になる。
したがって、本体側磁石２の極性をチェックする装置や人手が不要になり、コストダウンはもちろん生産効率も飛躍的に向上する。